(57)【特許請求の範囲】
【請求項１】
一方の建築用木材に、仕口部を備えた他方の建築用木材を直角若しくは傾斜状態に連結するための木材継合金具を、この一方の建築用木材に固定するために用いる木材継合金具用固定ボルトであって、先端部に螺子部を有するボルト杆のこの螺子部より基端側のボルト頭部近傍の小範囲に、このボルト杆の径寸法よりも径大であって、且つ前記一方の建築用木材に貫通形成されたボルト貫通孔の孔径よりも径大となる仮止め用螺子部を形成して、このボルト杆をボルト貫通孔に挿通して螺子回しすると、仮止め用螺子部がボルト貫通孔に喰い込み係止するように構成し、前記ボルト杆は、先端部の螺子部より基端側を無螺子部に形成した構成とし、この無螺子部の前記ボルト頭部近傍に、前記仮止め用螺子部を形成すると共に、この仮止め用螺子部は、前記ボルト頭部より間隔を置いた位置に形成して、この仮止め用螺子部とボルト頭部との間に存する間隔部も無螺子部に形成し、この仮止め用螺子部とボルト頭部との間隔を、前記木材継合金具に設けられたボルト孔を配設可能な間隔に設定して、この仮止め用螺子部とボルト頭部との間に存する前記無螺子部に木材継合金具のボルト孔を配設し得るように構成したことを特徴とする木材継合金具用固定ボルト。
【発明の詳細な説明】
【技術分野】
【０００１】
本発明は、例えば、柱材などの一方の建築用木材に、梁材などの他方の建築用木材を直交若しくは傾斜状態に継合し得る木材継合金具を、この一方の建築用木材に固定するために使用する木材継合金具用固定ボルトに関するものである。
【背景技術】
【０００２】
建築用木材の継合金具Ｂとしては、例えば、板材をコ字状あるいはＵ字状に折曲形成し、この折り返し部11に、柱材１などの一方の建築用木材１に設けたボルト貫通孔７に貫通される固定ボルトＡ'を挿通するボルト孔８を設け、反対側の折曲遊離端側（二枚の支持板部）に、プレカットして形成した梁材などの他方の建築用木材の仕口部に連結（貫通ピン止め）し得るように仕口連結部10を設けた構成のものが従来から実施されており、この木材継合金具Ｂを一方の建築用木材１に固定ボルトＡ'で連結固定し、二枚の支持板部（仕口連結部10）を他方の建築用木材の仕口部に係合して連結固定することで、木材同志をこの継合金具Ｂによって連結することができる（例えば、特許文献１参照。）。
【０００３】
また、この木材継合金具Ｂの一方の建築用木材１への固定構造について更に説明すると、木材継合金具Ｂの折り返し部11に形成した前記ボルト孔８に前記固定ボルトＡ'を挿通し、このボルト孔８に挿通した固定ボルトＡ'のボルト先端を一方の建築用木材１に設けた前記ボルト貫通孔７に一方側から挿通してこのボルト先端をボルト貫通孔７の反対側より突出させ、このボルト貫通孔７から突出する固定ボルトＡ'のボルト先端にナット９を螺着して締付することで固定する構造である。
【０００４】
【特許文献１】特開２００２−１６７８６５号公報
【発明の開示】
【発明が解決しようとする課題】
【０００５】
ところで、この種の木材継合金具Ｂを一方の建築用木材１に固定するための前記ボルト貫通孔７は、前記固定ボルトＡ'をスムーズに挿通させることができるように、その孔径を固定ボルトＡ'のボルト径よりも若干大きめに形成している。
【０００６】
そのため、固定ボルトＡ'の挿通作業自体は非常にスムーズに行われるのであるが、反面、固定ボルトＡ'をナット９で締付固定するまではボルト貫通孔７から簡単に抜け外れてしまうもので、してみると、木材継合金具Ｂのボルト孔８に挿通した固定ボルトＡ'のボルト先端を一方の建築用木材１のボルト貫通孔７に一方側から挿通してこのボルト先端をボルト貫通孔７の反対側より突出させた後、作業者は一方の建築用木材１の反対側に廻ってこのボルト貫通孔７から突出する固定ボルトＡ'のボルト先端にナット９の螺着作業を行うが、この螺着作業を行う前に木材継合金具Ｂの重さで固定ボルトＡ'がボルト貫通孔７から抜け外れてしまい易く（図６参照。）、また、ナット９を螺着しようとする際に固定ボルトＡ'が簡単に押し戻されてしまうのでボルト頭部を押えておく必要がある（図７参照。）など、これらのことがナット９の螺着作業の支障となってしまうことが往々にしてあった。
【０００７】
本発明は、このような現状に鑑み、これを解決しようとするためのもので、建築用木材のボルト貫通孔に挿通した固定ボルトを簡単に仮止めして抜脱防止状態にできる画期的な木材継合金具用固定ボルトを提供するものである。
【課題を解決するための手段】
【０００８】
添付図面を参照して本発明の要旨を説明する。
【０００９】
一方の建築用木材１に、仕口部を備えた他方の建築用木材12を直角若しくは傾斜状態に連結するための木材継合金具Ｂを、この一方の建築用木材１に固定するために用いる木材継合金具用固定ボルトＡであって、先端部に螺子部４を有するボルト杆２のこの螺子部４より基端側のボルト頭部３近傍の小範囲に、このボルト杆２の径寸法よりも径大であって、且つ前記一方の建築用木材１に貫通形成されたボルト貫通孔７の孔径よりも径大となる仮止め用螺子部６を形成して、このボルト杆２をボルト貫通孔７に挿通して螺子回しすると、仮止め用螺子部６がボルト貫通孔７に喰い込み係止するように構成し、前記ボルト杆２は、先端部の螺子部４より基端側を無螺子部５に形成した構成とし、この無螺子部５の前記ボルト頭部３近傍に、前記仮止め用螺子部６を形成すると共に、この仮止め用螺子部６は、前記ボルト頭部３より間隔を置いた位置に形成して、この仮止め用螺子部６とボルト頭部３との間に存する間隔部も無螺子部５に形成し、この仮止め用螺子部６とボルト頭部３との間隔を、前記木材継合金具Ｂに設けられたボルト孔８を配設可能な間隔に設定して、この仮止め用螺子部６とボルト頭部３との間に存する前記無螺子部５に木材継合金具Ｂのボルト孔８を配設し得るように構成したことを特徴とする木材継合金具用固定ボルトに係るものである。
【発明の効果】
【００１０】
本発明は上述のように、ボルト杆にボルト貫通孔の孔径よりも径大な仮止め用螺子部を形成したから、木材継合金具を介して一方の建築用木材のボルト貫通孔に挿通した本固定ボルトを、電動回動工具などを用いて螺子回しすることで、前記仮止め用螺子部がボルト貫通孔に喰い込み係止することになり、これにより、本固定ボルトがボルト貫通孔より抜け外れ防止状態（仮止め状態）となるので、木材継合金具の重さによって本固定ボルトがボルト貫通孔から簡単に抜け外れてしまったり、ナット螺着時に本固定ボルトが押し戻されてしまったりするようなことが確実に防止され、この仮止め状態でボルト貫通孔から突出する本固定ボルトの先端部にナットを容易に螺着して締付固定操作を行うことが可能となる実用性に秀れた木材継合金具用固定ボルトとなり、しかも本発明は、実質的に従来の固定ボルトの構造に加えて、ボルト杆の先端部よりボルト頭部側に、このボルト杆の径寸法よりも径大であって、且つ前記一方の建築用木材に貫通形成されたボルト貫通孔の孔径よりも径大となる仮止め用螺子部を形成するだけで構成可能であるため、この構成は簡易に設計実現可能な構成であり、量産性に秀れ安価に提供可能となるなど、極めて秀れた画期的な木材継合金具用固定ボルトとなる。
【００１１】
また、本発明においては、仮止め用螺子部がないボルト杆の先端側を一方の建築用木材のボルト貫通孔に挿通させて電動回動工具などによる本固定ボルトの螺子回し作業を容易に行うことができると共に、ボルト杆の基端側に仮止め用螺子部を形成したことで、ボルト杆の先端側に仮止め用螺子部を形成した場合に比べて螺子回し操作が少ない操作で済むことになるなど、一層操作性に秀れ、実用性に秀れた構成の木材継合金具用固定ボルトとなる。
【００１２】
また、本発明においては、仮止め用螺子部をボルト杆の小範囲に形成する構成のために、一層簡易に設計実現可能で量産性に秀れるなど、極めて実用性に秀れた構成の木材継合金具用固定ボルトとなる。
【００１３】
また、本発明においては、ボルト杆の基端側が無螺子部のために、本固定ボルトを一方の建築用木材のボルト貫通孔に容易に挿通することができて、この挿通状態で電動回動工具などによるこの本固定ボルトの螺子回し作業を容易に行うことができると共に、ボルト頭部近傍に仮止め用螺子部を形成したことで、螺子回し操作が少ない操作で済むことになるなど、一層実用性に秀れた構成の木材継合金具用固定ボルトとなる。
【発明を実施するための最良の形態】
【００１４】
好適と考える本発明の実施形態（発明をどのように実施するか）を、図面に基づいて本発明の作用を示して簡単に説明する。
【００１５】
本発明の木材継合金具用固定ボルトＡを使用して、例えば柱材１などの一方の建築用木材１に、木材継合金具Ｂを固定する。
【００１６】
具体的には、例えば、木材継合金具Ｂに形成したボルト孔８に本固定ボルトＡを挿通し、このボルト孔８に挿通した本固定ボルトＡのボルト先端を、一方の建築用木材１に設けたボルト貫通孔７に一方側から挿通し、電動回動工具13などを用いて本固定ボルトＡを螺子回しすると、ボルト貫通孔７の孔径よりも径大な仮止め用螺子部６がボルト貫通孔７に喰い込み係止して螺入していき、この本固定ボルトＡのボルト先端がボルト貫通孔７の反対側より突出する。
【００１７】
そして、このボルト貫通孔７から突出する本固定ボルトＡのボルト先端にナット９を螺着して締付することで木材継合金具Ｂを一方の建築用木材１に固定することができるが、この際、仮止め用螺子部６がボルト貫通孔７に喰い込み係止していることで、本固定ボルトＡはボルト貫通孔７から抜け外れることが防止された仮止め状態となり、これにより木材継合金具Ｂの重さによって本固定ボルトＡがボルト貫通孔７から簡単に抜け外れてしまったり、ナット９螺着時に本固定ボルトＡが押し戻されてしまったりすることが防止されるので、この仮止め状態でボルト貫通孔７から突出する本固定ボルトＡの先端部にナット９を容易に螺着して締付固定することができる。
【００１８】
次いで、一方の建築用木材１に固定した木材継合金具Ｂ（の仕口連結部10）に、他方の建築用木材12（の仕口部）を連結固定することにより、木材１・12同士をこの木材継合金具Ｂによって例えば直交状態に連結固定することができる。
【００１９】
また、例えば、前記ボルト杆２の基端側に、前記仮止め用螺子部６を形成すれば、本固定ボルトＡを先ずはボルト貫通孔７に深くまで挿通させて比較的安定的な状態にできるので、その後の電動回動工具13などによるこの本固定ボルトＡの螺子回し作業を容易に行うことができると共に、ボルト杆２の先端部付近に仮止め用螺子部６を形成した場合には、本固定ボルト２の先端の螺子部４をボルト貫通孔７から突出させるためには螺子回し操作を多く行わなければならないが、ボルト杆２の基端側に仮止め用螺子部６を形成したことで螺子回し操作が少ない操作で済むことになるなど、一層実用的となる。
【００２０】
また、特に、前記ボルト杆２の基端側の、前記ボルト頭部３近傍の小範囲に、前記仮止め用螺子部６を形成すれば、前記作用・効果が一層確実に発揮され、しかも仮止め用螺子部６はボルト杆２の小範囲に形成する構成のために、簡易に設計実現可能である。
【００２１】
また、例えば、前記ボルト杆２は、先端部を螺子部４に形成すると共に、この先端の螺子部４より基端側を無螺子部５に形成した構成とし、この無螺子部５の前記ボルト頭部３近傍に、前記仮止め用螺子部６を形成すれば、前記作用・効果に加えて、ボルト杆２の先端の螺子部４より基端側が無螺子部５であることで、本固定ボルトＡは一方の建築用木材１のボルト貫通孔７に挿通し易くなり、一層操作性に秀れることになる。
【実施例】
【００２２】
本発明の具体的な実施例について図面に基づいて説明する。
【００２３】
本実施例は、一方の建築用木材１である柱１と、他方の建築用木材12である梁などの横材12とを連結するための木材継合金具Ｂを、この柱１に固定するために用いる木材継合金具用固定ボルトＡに係るものである。
【００２４】
また、図示した柱１には、本固定ボルトＡを挿通し得るこの固定ボルトＡのボルト杆２の径寸法よりもやや径大な孔径寸法を有するボルト貫通孔７を複数センター位置に縦列形成している。
【００２５】
また、図示した木材継合金具Ｂは、板材を平断面コ字状若しくはＵ字状に折曲して折り返し部11の反対側に二枚支持構造の仕口連結部10が突設する構成とし、折り返し部11のセンター位置に前記ボルト貫通孔７に対応させて複数ボルト孔８を縦列形成した構成としている。
【００２６】
本実施例の木材継合金具用固定ボルトＡは、先端部に螺子部４を有するボルト杆２のこの先端部よりボルト頭部３側に、このボルト杆２の径寸法よりも径大であって、且つ前記一方の建築用木材１（柱１）に貫通形成されたボルト貫通孔７の孔径よりも径大となる仮止め用螺子部６を形成して、このボルト杆２をボルト貫通孔７に挿通して螺子回しすると、仮止め用螺子部６がボルト貫通孔７に喰い込み係止するように構成している。
【００２７】
具体的には、本実施例のボルト杆２は、図１に示すように先端部を螺子部４に形成すると共に、この先端の螺子部４より基端側を無螺子部５に形成した構成とし、この無螺子部５の基端側の前記ボルト頭部３近傍に、前記仮止め用螺子部６を形成している。
【００２８】
更に詳しくは、木材継合金具Ｂを構成する板材の厚み（折り返し部11の厚み）や、図示した木材継合金具Ｂのようにボルト孔８の周囲を仕口連結部10側に隆起させた形状の木材継合金具Ｂを使用する場合を考慮して、無螺子部５の基端部でなく無螺子部５基端寄りのボルト頭部３より小間隔を置いた位置に仮止め用螺子部６を形成している。即ち、このようにボルト頭部３より小間隔を置いた位置に仮止め用螺子部６を形成することで、この仮止め用螺子部６の全範囲をボルト貫通孔７に喰い込み係止させて良好な抜け外れ作用（仮止め作用）が得られるように構成している。
【００２９】
また、この仮止め用螺子部６は、このボルト杆２の全周に螺子山を形成することで構成すると共に、ボルト杆２の長さ方向の１０ｍｍ程度の小範囲に形成している。従って、このように１０ｍｍ程度の小範囲に螺子山（仮止め用螺子部６）を追加形成する構造は、簡易に設計実現可能な構成であり、量産性に秀れ、安価な製品を提供可能となる。
【００３０】
また、本実施例では、ボルト杆２の径寸法と、仮止め用螺子部６の径寸法との寸法差を１ｍｍ以下に設定構成している。
【００３１】
具体的には、図２に示すように、仮止め用螺子部６を構成する螺子山の高さ寸法を、前記無螺子部５の表面に対して０.３ｍｍ程高くなるように設定して、ボルト杆２の径寸法よりもやや径大で、且つ前記柱１に貫通形成されたボルト貫通孔７の孔径よりもやや径大となる仮止め用螺子部６を形成している。従って、これにより仮止め用螺子部６がボルト貫通孔７の内面に浅く喰い込んで係止するように構成し、仮止め用螺子部６がボルト貫通孔７の内面に深く喰い込みすぎで柱１（一方の建築用木材１）の強度落ちなどを生じることのないようにしている。
【００３２】
次に、このように構成した本実施例の木材継合金具用固定ボルトＡを用いて、木材継合金具Ｂを柱１に固定する方法を説明する。
【００３３】
木材継合金具Ｂの折り返し部11に形成したボルト孔８に本固定ボルトＡを挿通し、このボルト孔８に挿通した本固定ボルトＡのボルト先端を一方の建築用木材１に設けたボルト貫通孔７に一方側から挿通する（図３参照。）。
【００３４】
すると、ボルト杆２のボルト頭部３近傍に形成した仮止め用螺子部６がボルト貫通孔７より径大であるため、この仮止め用螺子部６がボルト貫通孔７の一方側の孔縁に達したところでこれ以上本固定ボルトＡを手で挿し入れすることができなくなるが、例えば、電動回動工具13などを用いて本固定ボルトＡを螺子回しすると、仮止め用螺子部６がボルト貫通孔７に喰い込み係止して更に深く螺入していくこととなって、本固定ボルトＡのボルト先端がボルト貫通孔７の反対側より突出することになる（図４参照。）。
【００３５】
そして、この仮止め用螺子部６がボルト貫通孔７に喰い込み係止することで、ボルト貫通孔７から本固定ボルトＡの抜け外れが防止された仮止め状態となり、木材継合金具Ｂの重さによって固定ボルトＡが簡単に抜け外れてしまったり、ナット９螺着時に本固定ボルトＡが押し戻されてしまったりするようなことが確実に防止される。
【００３６】
ボルト貫通孔７の形成数（図面では三箇所）に応じて、この固定ボルトＡの仮止め作業を繰り返した後、仮止め状態でボルト貫通孔７から突出する本固定ボルトＡの先端部にナット９を容易に螺着して締付操作することができ、固定作業終了となる（図５参照。）。
【００３７】
また、図５では、本固定ボルトＡのボルト先端側にも木材継合金具Ｂを固定して、柱材１の対向両側に横材12を連結固定した場合を示している。
【００３８】
尚、本発明は、本実施例に限られるものではなく、各構成要件の具体的構成は適宜設計し得るものである。
【図面の簡単な説明】
【００３９】
【図１】本実施例を示す斜視図である。
【図２】本実施例の要部を示す部分拡大説明正面図である。
【図３】本実施例を使用して木材継合金具を柱材に固定しようとする状態を示す木材継合金具を切り欠いた説明側面図である。
【図４】本実施例を木材継合金具と共に柱材に仮止めした状態を示す説明側断面図である。
【図５】本実施例の施工完了状態を示す説明側断面図である。
【図６】木材継合金具の重さにより柱材のボルト貫通孔から固定ボルト（従来例）が抜けかけてしまっている状態を示す説明側断面図である。
【図７】ナット螺着時に固定ボルト（従来例）が押し戻されてしまい、これを手で押えようとしている状態を示す説明側断面図である。
【符号の説明】
【００４０】
１  一方の建築用木材
２  ボルト杆
３  ボルト頭部
４  螺子部
５  無螺子部
６  仮止め用螺子部
７  ボルト貫通孔
８ ボルト孔
12  他方の建築用木材
Ａ  固定ボルト
Ｂ  木材継合金具
【図１】
0004809301.tif 000002
【図２】
0004809301.tif 000003
【図３】
0004809301.tif 000004
【図４】
0004809301.tif 000005
【図５】
0004809301.tif 000006
【図６】
0004809301.tif 000007
【図７】
0004809301.tif 000008